(57)【特許請求の範囲】
【請求項１】
ボウル部上端のリム部に沿って延びる洗浄水案内用の凹路と、凹路の端部から該凹路に沿って洗浄水を吐出する吐水口とを有し、吐出された洗浄水を凹路を経てボウル部内面に流れる旋回流とする水洗便器のための薬剤供給具であって、
薬剤を収容し、前記リム部に取り付けられた際に洗浄水への接触により薬剤の溶出を可能にする容器部と、
前記容器部に結合され前記リム部に係止し得る保持部とを備え、
前記容器部は、便器への取り付け時に前記凹路に対峙し得る正面部と、該正面部の上端から延びる延長部とを備え、
該正面部は、側面視において、前記凹路の水流に接触するのを可能にしつつ該凹路内への進入を規制し得る凸型主形状を有し、
前記保持部は、前記容器部の背面に結合されて上下方向に延びる縦部材と、該縦部材の上端部から前記容器部側へ延びる係止部材とを備えており、
前記延長部は、容器部が上部を前記凹路に接近させる方向に傾斜したときに、前記凹路の縁部に接して前記正面部上端の凹路内への進入を規制するように、該正面部上端から背面側へ延びていることを特徴とする薬剤供給具。
【請求項２】
前記容器部が前記凹路に対して適切に配置されるように、前記正面部及び延長部は、平面に対し幅３０ｍｍで形成された間隙に当てがったときに、前記平面に直交する縦断面で見た前記間隙からの進入部分の面積が１４０ｍｍ２以下となるように形状が決められていることを特徴とする請求項１に記載の薬剤供給具。
【請求項３】
前記保持部の縦部材に沿う方向における前記正面部の高さＨは、３０〜７０ｍｍであり、
前記正面部に直交する断面において、正面部上端を通り前記保持部の縦部材に平行に延びる直線から正面部下端までの距離をＤとすると、
３０ｍｍ≦Ｈ＜４０ｍｍのとき、Ｄ≦２０ｍｍであり、
４０ｍｍ≦Ｈ≦７０ｍｍのとき、Ｄ≦４０ｍｍである
ことを特徴とする請求項１又は２に記載の薬剤供給具。
【発明の詳細な説明】
【技術分野】
【０００１】
本発明は、水洗便器のリム部に取り付けられる薬剤供給具に関する。
【背景技術】
【０００２】
水洗便器には、洗浄水をボウル部内面に流れる旋回流とするタイプのものがある。例えば、特許文献１の水洗便器は、図１５に示すように、ボウル部１０１上端のリム部１０２に沿って延びる凹路１０３がボウル部内側に形成され、凹路１０３の端部に設けられた吐水口１０４から該凹路に沿って洗浄水Ｗを吐出し、吐出された洗浄水を該凹路を経てボウル部内面に流れる旋回流Ｓとする。
【０００３】
この種の水洗便器に対し、洗浄作用や消臭芳香効果を持たせるための薬剤供給具が提案されている。その薬剤供給具は、通常、薬剤を収容した容器を、フックにより便器のリム部からボウル部内に吊り下げて使用される。例えば、特許文献２に記載された薬剤供給具は、図１６に示すように、フック１１１によりリム部に吊り下げられる容器１１２内に高濃度の薬液を収容し、薬液を少量ずつ放出プレート１１３上に供給するようになっている。この薬剤供給具１１０は、ボウル部の凹路を流れる洗浄水の一部が放出プレート１１３上を流れるように設置されることにより、洗浄水が流れる毎に薬液が洗浄水に溶出する。
【０００４】
図１７(a)は、この薬剤供給具１１０を図１５の水洗便器のリム部１０２に取り付けた状態を概略的に示している。この設置状態であれば、薬剤供給具１１０は、凹路１０３に僅かに進入し一部が放出プレート１１３に流れるだけであるので、洗浄水のほとんどは、円滑に凹路１０３内を流れる。
【特許文献１】特開２００２−９７７０４号公報
【特許文献２】特表２００３−５１７１２４号公報
【発明の開示】
【発明が解決しようとする課題】
【０００５】
しかしながら、上記の薬剤供給具は、容器がほぼ直方体形状とされており、その結果、リム部１０２への取付状態によっては、図１７(b)に示すように、容器１１２の上部が凹路１０３内に深く進入してしまうことがある。この状態で洗浄水が吐水口から吐出されると、大量の洗浄水が容器１１２に衝突し、洗浄水が便器外へ飛び散るという問題を引き起こすことになる。
【０００６】
これに対処すべく、図１７(c)に示すように、凹路１０３内に侵入し難いように、厚さを大きくした容器１１２’とすることが考えられるが、この場合でも、図１７(d)に示すように、容器１１２’の角部が凹路１０３内に深く侵入することにより、洗浄水が容器１１２’の角部に衝突し、やはり洗浄水が便器外へ飛び散るという問題を引き起こす。
【０００７】
本発明は、上記従来技術の問題を解決し、旋回流型の水洗便器に取り付けて使用したときに、衝突による洗浄水の飛び散りの問題を生じない薬剤供給具を提供することを目的とする。
【課題を解決するための手段】
【０００８】
本発明は、前記目的を達成するため、ボウル部上端のリム部に沿って延びる洗浄水案内用の凹路と、凹路の端部から該凹路に沿って洗浄水を吐出する吐水口とを有し、吐出された洗浄水を凹路を経てボウル部内面に流れる旋回流とする水洗便器のための薬剤供給具であって、薬剤を収容し、前記リム部に取り付けられた際に洗浄水への接触により薬剤の溶出を可能にする容器部と、前記容器部に結合され前記リム部に係止し得る保持部とを備え、前記容器部は、便器への取り付け時に前記凹路に対峙し得る正面部と、該正面部の上端から延びる延長部とを備え、該正面部は、側面視において、前記凹路の水流に接触するのを可能にしつつ該凹路内への進入を規制し得る凸型主形状を有し、前記保持部は、前記容器部の背面に結合されて上下方向に延びる縦部材と、該縦部材の上端部から前記容器部側へ延びる係止部材とを備えており、前記延長部は、容器部が上部を前記凹路に接近させる方向に傾斜したときに、前記凹路の縁部に接して前記正面部上端の凹路内への進入を規制するように、該正面部上端から背面側へ延びていることを特徴とする薬剤供給具を提供するものである。
【発明の効果】
【０００９】
本発明に係る薬剤供給具は、薬剤を収容し洗浄水への接触により薬剤の溶出を可能にする容器部と、前記容器部に結合され便器のリム部に係止し得る保持部とを備えることにより、旋回流型の水洗便器のリム部に取り付けて使用することができる。そして、薬剤を収容する容器部は、便器への取り付け時に前記凹路に対峙し得る正面部を備え、該正面部は、側面視において、凹路の水流に接触するのを可能にしつつ該凹路内への進入を規制し得る凸型主形状を有している。したがって、この容器部により、凹路を流れる洗浄水への接触による薬剤の溶出を可能にしつつ、凹路内への深い進入による吐出水への衝突を回避した安全な取付け状態とすることができる。また、保持部は、容器部の背面に結合されて上下方向に延びる縦部材と、該縦部材の上端部から容器部側へ延びる係止部材とを備えている。これにより、便器への取付け時には、縦部材を上下方向にして取り付けることになるので、正面部が便器の凹路に対峙する状態となり、前述の安全な取付け状態が得られる。さらに、容器部が備える延長部は、容器部が上部を便器の凹路に接近させる方向に傾斜したときに、凹路の縁部に接して正面部上端の凹路内への進入を規制するように、該正面部上端から背面側へ延びている。したがって、容器部が正面部上端に向けて尖った形状となっていても、容器部の前記傾斜によって正面部上端が凹路内へ深く進入するのが防止され、前述の安全な取付け状態が確保される。
【００１０】
したがって、本発明によれば、旋回流型の水洗便器に取り付けて使用したときに、衝突による洗浄水の飛び散りの問題を生じない薬剤供給具を提供することができる。
【発明を実施するための最良の形態】
【００１１】
以下、本発明の実施形態について添付図面を参照しつつ説明する。図面中の同一又は同種の部分については、同じ番号を付して説明を省略することがある。
【００１２】
図１から図４は、本発明の一実施形態に係る薬剤供給具を示しており、図１は、旋回流型水洗便器の凹路に向く面の側から見た斜視図、図２は背面側から見た斜視図、図３は側面図（(a)は閉じた状態、(b)は開いた状態）、図４は正面図である。この薬剤供給具１は、薬剤を収容し洗浄水への接触により薬剤の溶出を可能にする容器部２０と、下部を容器部２０に結合され、上部を便器のリム部に係止し得る保持部３０とを備えている。この実施形態に係る薬剤供給具は、固形薬剤を使用するタイプのものであり、薬剤は、水への接触により表面から徐々に溶解する。
【００１３】
容器部２０は、背面部２１、正面部２２、及び側部２３を備え、内部に固形薬剤を収容する箱状となっており、正面部２２は、軸線を水平にした円筒の一部により形成され、側面視において、前記凹路の水流に接触するのを可能にしつつ該凹路内への進入を規制し得る凸形状を有し、水洗便器の洗浄水を内部に通過させて薬剤に接触させ得るように、多数の開口部２２ｓを設けた格子状に形成されている。容器部２０はさらに、正面部２２の上端から後方へ弧状に延びた延長部２４を備えている。背面部２１は、正面部２２の下端から延長部２４まで平面状に延びている。側部２３は、容器部２０の両側において、背面部２１、正面部２２及び延長部２４で囲まれる部分を覆う形状を有している。
【００１４】
また、容器部２０は、図３(b)に開いた状態を示すように、後部２０ａと前部２０ｂとがヒンジ部２０ｃにより結合され、ヒンジ部２０ｃを中心にして前後に開閉可能となっており、閉じた状態は、背面部２１及び正面部２２の各々の両端部付近に設けられた微小フック２５ａ，２５ｂの係合により維持され、開く際は、これらの微小フックが弾性変形して結合を解く。
【００１５】
保持部３０は、結合部３１によって背面部２１に結合されている。この実施形態においては、結合部３１は、背面部２１の上部に結合されたブロック３１１と、該ブロックの後端に設けられ上下方向に延びる貫通孔３２０を有するガイド３１２とからなる。保持部３０は、前記容器部の背面に結合されて上下方向に延びる縦部材３３と、該縦部材の上端部から前記容器部側へ延びる係止部材３４とを備えている。係止部材３４は、縦部材３３からほぼ水平に延びる横部材３４１と該横部材の先端で曲折して縦部材３３側へ斜めに延びる斜行部材３４２とを備えてフック状に形成されている。縦部材３３は、ガイド３１２の貫通孔に通され、ガイド３１２に対して摺動した位置で保持される。この保持のために、縦部材３３の前面には、水平に延びる微小凸部が上下方向に多数設けられ、ガイド３１２の貫通孔内には該凸部に係合する凹凸部が設けられ、両者の係合により、縦部材３３は任意の上下位置でガイド３１２に停止するようになっている。保持部３０は、ポリプロピレン、ポリエチレン等の弾性に富むプラスチック材料で形成され、縦部材３３及び係止部材３４は、市販されている旋回流型水洗便器のリム部に係合させ得る寸法とされている。したがって、縦部材３３をガイド３１２に対して適切な上下位置とし、全体を弾性変形させてリム部に係止することにより、容器部２０を便器の凹路に臨む位置に取り付けることができる。
【００１６】
図５(a)は、この薬剤供給具１を水洗便器のリム部に取付けた状態の一例を示している。ここでは、容器部２０は、正面部２２が水洗便器の凹路１０３に向くように配置され、凹路を囲む便器壁部の上下の縁部が正面部２２に当接している。
【００１７】
図に示すように、容器部２０の正面部２２は、側面視凸形状をなし、凹路１０３を囲む壁部の上下縁部に当接し、凹路の水流への接触が可能であり、且つ該凹路内への進入は浅く制限されるように、決められている。これにより、凹路を流れる洗浄水への接触による薬剤の溶出を可能にしつつ、凹路内への深い進入による吐出水の衝突と飛び散りを回避した適切な配置状態が得られる。
【００１８】
容器部２０の延長部２４は、正面部２２の上端から背面側へ弧状に下降する上面を有し、下面は背面部２１の上端からほぼ水平に延びている。延長部２４の形状及び大きさは、容器部が上部を凹路１０３に接近させる方向に傾斜したときに、凹路１０３の縁部に接することにより、正面部２２上端が凹路内に深く進入するのを規制するように決められる。
【００１９】
したがって、上記の適切な配置状態は、図５(b)に示すように、容器部２０を傾斜させるようにしてリム部１０２に取り付けた場合も保証される。このようにして適切な配置状態が保証される様子は、近似した形状の薬剤供給具１’において、延長部がない場合の配置状態を示した図６との対比によって、より明らかとなる。図６(a) においては、容器部２０’が正立状態となっているので、凹路１０３に深く進入していない。しかしながら、図６(b) においては、容器部２０’が上部を凹路１０３に接近させる方向に傾斜した結果、容器部上端が凹路１０３に入り込み、容器部２０’が凹路１０３に深く進入している。これでは、大量の洗浄水が容器部２０’に衝突し、洗浄水が便器外へ飛び散るという問題を引き起こすことになる。
【００２０】
延長部２４が容器部傾斜時に適切配置を確実に保つようにするには、延長部２４の奥行き寸法を５〜３５ｍｍとするのが望ましい。この奥行き寸法は、正面部２２の上端から保持部３０の縦部材３３に垂直な方向に該縦部材３３側へ向かう寸法をいう。この寸法が、上記下限値未満であると、容器部が傾斜したときに延長部２４後部の先端が凹路１０３内に進入してしまい、進入規制作用を十分に発揮し得ない。一方、この寸法が上記上限値を超えると、延長部２４が便器のボウル内へ大きく張り出すことになり、美観を損ね、或いは、排泄物による汚染を受け易くなる。
【００２１】
図３及び図４に示すように薬剤供給具の各所の寸法は、以下の通りである。
・容器部２０の高さＨ：５０ｍｍ
・容器部２０の幅Ｗ：１００ｍｍ
・容器部２０の奥行きＤ1：４２．５ｍｍ
・延長部２４の奥行きＤ2：１７ｍｍ
・容器部正面部２２の円弧状面の曲率半径Ｒ：２５ｍｍ
・保持部３０の長さ（縦部材３３＋係止部材３４）：１５０ｍｍ
正面部は、凹路の水流への接触を可能にしつつ該凹路内への進入を適切に規制することにより、凹路に対する適切配置がされるのであれば、上記実施形態のように側面視円弧状である必要はない。また、側面視において滑らかな凸形状である必要もなく、凹凸や角部が混在していても全体として、上記の適切配置が得られる凸形状であればよい。例えば、正面部２２は、これに垂直な断面において、図７(a)に示すように角張った凹凸部分を含んでもよいし、図７(b)のような波状の凹凸部分を含んでもよい。本明細書及び特許請求の範囲においては、正面部が有するこのような全体的な凸形状を凸型主形状と称する。
【００２２】
次に、上記の凹路に対する適切配置を確実に行なうための望ましい形態を図８を参照しつつ説明する。この形態においては、図示のように、正面部２２及び延長部２４は、平面Ｐに対し幅３０ｍｍで形成された間隙Ｃに当てがったときに、平面Ｐに直交する縦断面で見た間隙Ｃからの進入部分の面積Ｓを基準とする（図では、理解を容易にするために、鉛直方向に延びる平面Ｐ、及び該平面Ｐに対し上下間隔３０ｍｍで水平に形成された間隙Ｃを示している）。そして、その面積Ｓが１４０ｍｍ２ 以下となるように形状を決めることができる。図８(a)は、理想的な取付け状態、すなわち、保持部３０の縦部材３３を鉛直方向にして薬剤供給具を位置させた状態を示している。ユーザーによっては、保持部３０を変形させながら、薬剤供給具を機能し得る範囲で傾けて取り付けてしまう場合もある。そのような場合にも、凹路に対する適切配置が確実に行なわれるのが望ましい。これに関し、図８(b)は、薬剤供給具が大きく傾斜して取付けられた状態を示している。この場合にも、進入面積Ｓが上記範囲となるようにして、正面部２２及び延長部２４の形状を決めるのが望ましい。
【００２３】
進入部分の面積Ｓが上記範囲を超えると、容器部に接触する水量が増し、洗浄水が便器外へ飛び散るという問題を引き起こし易い。この観点から上記進入部分の面積は、１００ｍｍ２以下とするのが、より望ましい。なお、図８(b)において保持部３０は大きく変形していることから理解されるように、取付け時の薬剤供給具の傾斜は、保持部３０の変形抵抗によってある程度規制される。
【００２４】
また、図示の例のように、正面部２２が凹路内の洗浄水に接触して容器内へ取り入れる構造のものについては、洗浄水との接触のために正面部２２が或る程度、凹路内に進入している必要がある。その進入を確実にするには、前述と同様にして前記平面Ｐに設けられた間隙Ｃに正面部２２を当てがったときに、平面Ｐに直交する縦断面で見た間隙Ｃからの進入部分の面積Ｓが２５ｍｍ２ 以上となるように、正面部の形状を決めるのが望ましい。
【００２５】
正面部２２については、図１３に薬剤供給具を平面図で示すように、開口部２２ｓの近傍に前面へ突出する突片２２ｔを備え、該突片２２ｔにより洗浄水の流れＷの一部を開口部２２ｓへ導く形態とすることもできる。この場合は、図１４にハッチングで示すように、突片２２ｔを含めた間隙Ｃからの進入部分の面積Ｓが前述の値となるように、正面部２２の形状を決めるのが望ましい。
【００２６】
凹路に対する容器部の進入量は、容器部のみならず、凹路の形状や寸法によっても異なる。しかしながら、市販の旋回流型の水洗便器は、凹路に流れる洗浄水の速度や量が適切となるように設計される結果、凹路の形状や寸法の相違が限定されたものとなる。したがって、典型的な凹路の断面形状及び寸法を考慮した平面の間隙Ｃを基準とすることにより、多くの一般的な旋回流型水洗便器の凹路に対する容器部の適切配置が可能となる。
【００２７】
このようにして、容器部の上端部及び正面部について凹路に対する適切配置を得ることができる。一方、通常の取付け形態においては、保持部３０を便器のリム部から遠ざけるような取付けは行なわないので、容器部が下端側から凹路に深く進入するような取付けは行なわれ難い。但し、容器部の高さや厚さ（奥行き寸法）が小さくなると、可能性は低いが、例えば図９に示すように容器部が下端側から凹路に深く進入する取付けが行なわれることもあり得る。
【００２８】
これに対し、容器部の適切配置をさらに確実にするための望ましい形態は、保持部の縦部材に沿う方向における正面部の高さＨ、正面部に直交する断面において、正面部上端を通り保持部の縦部材に平行に延びる直線から正面部下端までの距離Ｄを基準として特定することができる。図１０は、その高さＨ及び距離Ｄを示しており、図１０(a)は背面部２１が縦部材３３に平行な平らな容器部２０、図１０(b)は平らでない背面部２１（ここでは後方へ凸状）を有する容器部２０の場合について示している。図１０では、実線で示した容器部２０に高さＨ，距離Ｄの位置を示しており、破線は距離Ｄが０（ゼロ）の場合を示している。
【００２９】
適切配置のための望ましい正面部２２の高さＨは３０〜７０ｍｍであり、距離Ｄは、３０ｍｍ≦Ｈ＜４０ｍｍのとき、Ｄ≦２０ｍｍであり、４０ｍｍ≦Ｈ≦７０ｍｍのとき、Ｄ≦４０ｍｍである。
【００３０】
上記において、高さＨが３０ｍｍより低いと、保持部を少し便器のリム部から離せば容器部を下端側から凹路に進入させやすくなる。また、高さＨが７０ｍｍより高いと、便器の下方へ大きく延びることになるので、排泄物で汚染され易くなる。さらに、３０ｍｍ≦Ｈ＜４０ｍｍのとき、上記距離Ｄが２０ｍｍを超えると、正面部の下端が前方へ突出した形状となり、凹路へ進入し易くなる。この進入し易さは、正面部の高さが増すと低下し、４０ｍｍ≦Ｈ≦７０ｍｍの場合には、距離Ｄが４０ｍｍまでは問題ないが、４０ｍｍを超えると、やはり正面部下端が凹路へ進入し易くなる。
【００３１】
次に、正面部が縦断面において円弧形状又は円弧に近似した形状の弧状面を有する場合について、凹路に対する適切配置をより確実に行なうための望ましい形態について説明する。図７を例にとって説明すると、正面部２２を含む容器部の弧状面は、正面部に垂直な縦断面において、次に示す曲率半径Ｒの円弧及びこれよりΔＲ大きい同心の円弧の間に入る曲線であり、以下の中心角Ｑの範囲にあるのが望ましい。
【００３２】
１５ｍｍ≦Ｒ≦３５ｍｍ          ［式１］
ΔＲ＝（Ｒ／２）−７  （ｍｍ）  ［式２］
中心角Ｑは、
１５ｍｍ≦Ｒ＜２０ｍｍのとき、１８０度以上
２０ｍｍ≦Ｒ＜３０ｍｍのとき、（３６００／Ｒ）度以上
３０ｍｍ≦Ｒ≦３５ｍｍのとき、１２０度以上
とする。
【００３３】
なお、中心角Ｑは、構造上３６０度とすることもできるが、大きくなりすぎると、容器部が便器のボウル内へ大きく張り出して、美観を損ね、或いは、排泄物による汚染を受け易くなるので、これを考慮して中心角Ｑの上限を決めるのが望ましい。この観点から、中心角Ｑは、２７０度以下とするのが望ましく、２４０度以下とするのがより望ましい。
【００３４】
このようにして容器部の形状を決定する場合も、正面部を含む弧状面の凸型主形状は、先に図７と共に説明した波状の凹凸部分を含んでもよい。上記の曲率半径の特定は、次の理由に基づいている。
(i) 弧状面の曲率半径が小さいと、凸形状が強くなり、便器に取り付けた際に凹路に深く進入し易く、その曲率半径が大きいと、凸形状が緩やかとなり、凹路への進入度が浅くなりすぎて、凹路の水流への容器部の接触が不十分となり、薬剤の溶出量が十分得られない場合がある。この観点から弧状面の曲率半径を所定の範囲内とすることにより凹路への進入量を適切化する。
(ii) 弧状面に凹凸部分を含む場合、その許容範囲ΔＲは、弧状面の曲率半径が大きいほど広くなる。すなわち、曲率半径が小さい場合は弧状面が凹路に深く進入するので凹凸部分の許容範囲は小さく、曲率半径が大きい場合は弧状面が凹路に浅く進入するので凹凸部分の許容範囲は大きい。
(iii) 凹路への過度の進入を避けるためには、弧状面がある程度の高さを有することが必要であり、そのためには、曲率半径が小さい場合は中心角Ｑを大きくする必要があり、曲率半径が大きい場合は中心角Ｑは小さくてもよい。
(iv) 上記式１及び式２に示す範囲に設定することにより、凹路に対する適切配置を確実に行なうことができる。
(v) 上記範囲であっても、便器への取付け時に容器部の下端又は上端が凹路に向く程に容器を水平軸回りに傾斜させると延長部の上側先端部又は正面部の下側先端部が凹路に深く進入するおそれがあるが、上記円弧の中心角Ｑを２１０度以上とすることによりそれがより確実に防止される。一方、中心角Ｑが大きすぎると、容器部に余分な部分ができるので、２７０度以下とするのが望ましい。
【００３５】
薬剤供給具は、上記実施形態のような固形薬剤を収容するタイプの他、図１１(a)に示す液状薬剤を収容するタイプ（又は固形薬剤・液状薬剤共用タイプ）とすることもできる。この薬剤供給具は、容器部２０”が、薬剤を収容するケーシング２０ｃと、該ケーシング２０ｃの下部に設けられた放出プレート２６と、ケーシング２０ｃから放出プレート２６に薬剤を少量ずつ供給する導液部２５とを備えている。ケーシング２０ｃは、図１から図４に示した容器部２０に近い形状を有しているが、前面２２０の上部が側面視凸形の弧状面であり、下部が後方へ凹入し、凹入部分の下に放出プレート２６が位置している。導液部２５は、ケーシング２０ｃと放出プレート２６との間において、ケーシング２０ｃの背面部２１ａに沿って設けられている。
【００３６】
薬剤供給具を便器に取付ける際には、図１１(a)の姿勢を保ち、保持部３０の縦部材３３が鉛直となるようにして便器のリム部１０２に取り付けるのが望ましい。一方、図１１(b)に示すように、取付けの際に薬剤供給具が傾斜しても、ケーシング２０ｃの前面２２０が凹路壁の上縁、放出プレート２６の前端部２６ａが凹路壁の下縁に当接する。さらに容器部２０”が上部を凹路に接近させる方向に傾斜したときには、延長部２４が凹路壁の上縁に当接する。このように、この薬剤供給具においては、ケーシング２０ｃの前面２２０と放出プレート２６の前端部２６ａとにより、便器への取り付け時に凹路に対峙し得る正面部２２ａが形成されている。なお、容器部２０”に結合された保持部３０は、図１から図４に示した実施形態と同様に構成されている。
【００３７】
使用時には、便器の凹路１０３に流れる水の一部が放出プレート２６に流れ、そこに滞留している薬剤を伴ってボウル内へ流れる。図１１に示す薬剤供給具１も、取付けの際に、凹路壁に当接して凹路の水流への接触を可能にし且つ凹路に深く進入しないという適切配置に関し、先の実施形態と同様の状態を実現する。
【００３８】
図１１の実施形態においては、ケーシング２０ｃの前面２２０と放出プレート２６の前端部２６ａとにより正面部２２ａが形成されているので、平面に設けた間隙に進入する部分の縦断面積について図８と共に行なった説明、及び弧状面について図７と共に行なった説明は、これら前面２２０と放出プレート前端部２６ａを結んで形成される曲面について当てはまる。図１２は、平面Ｐに対し間隙Ｃに当てがった容器部２０”について、平面Ｐに直交する縦断面で見た間隙Ｃからの進入状態を示している。図１２の(a)は、保持部３０の縦部材３３が鉛直となるようにした場合であり、(b)は、容器部２０”が傾斜し、正面部２２ａが間隙Ｃに最も深く進入した状態を示している。この形態においても、図１２(b)のように、進入度合いが最大になる場合において、面積Ｓが前述の範囲内となるように正面部２２ａ及び延長部２４の形状を決めるのが望ましい。
【００３９】
なお、この容器部２０”のように、下部の放出プレート２６に流れる洗浄水に薬剤を接触させるものの場合には、放出プレート２６の先端部は、凹路１０３内に進入しなくても、凹路の下でボウル壁に接することにより、流下する洗浄水を放出プレート２６で受けることができる。したがって、この場合は、正面部２２ａが凹路１０３内に進入しなくてもよいのであり、前述の基準に関しては、間隙Ｃからの正面部２２ａ及び延長部２４の進入部分の面積Ｓは、０（ゼロ）となる。したがって、このような放出プレート付きの薬剤供給具の場合は、前記基準における進入面積Ｓは、０〜１４０ｍｍ２であるのが、望ましく、０〜１００ｍｍ２であるのがより望ましいことになる。
【００４０】
本発明は、上記実施形態に限定されるものではなく、種々の変形が可能である。  保持部と容器部との結合箇所には、上記実施形態に示した結合部を必ずしも設ける必要はなく、容器部に直接的にガイド又は保持部を結合することもできる。容器部は、薬剤を収容し、該薬剤を洗浄水への接触により溶出させ得るように、種々の形状の細孔を有したものや網状壁により細孔を形成したのもの等とすることができる。細孔は、ケーシングの正面部及び側部の双方又は正面部に対しその全面又は一部に設けることができる。延長部は、容器部の全幅に亘って設ける必要はなく、例えば、図１に一点鎖線と符号２４ａで示すように容器部の両端部等、、容器部の一部に設けることも可能である。
【図面の簡単な説明】
【００４１】
【図１】本発明の一実施形態に係る薬剤供給具を旋回流型水洗便器の凹路に向く面の側から見た斜視図である。
【図２】図１に示した薬剤供給具を背面側から見た斜視図である。
【図３】図１に示した薬剤供給具の側面図である。
【図４】図１に示した薬剤供給具の正面図である。
【図５】図１に示した薬剤供給具を水洗便器のリム部に取付けた状態を示す側面図であり、(a)及び(b)は相互に異なる状態を示す。
【図６】本発明以外の薬剤供給具の一例を水洗便器のリム部に取付けた状態を示す側面図であり、(a)及び(b)は相互に異なる状態を示す。
【図７】本発明の他の実施形態に係る薬剤供給具の側面図であり、(a)及び(b)は相互に異なる形態を示す。
【図８】本発明に係る薬剤供給具の望ましい形態に関する説明図である。
【図９】水洗便器に対する薬剤供給具の取付け例を示す側面図である。
【図１０】本発明のさらに他の実施形態に係る薬剤供給具の側面図であり、(a)及び(b)は相互に異なる形態を示す。
【図１１】本発明のさらに他の実施形態に係る薬剤供給具を示す図であり、(a)は薬剤供給具の側面図、(b)はその取付け状態の側面図である。
【図１２】図１１に示した薬剤供給具についての望ましい形態に関する説明図である。
【図１３】本発明のさらに他の実施形態に係る薬剤供給具の平面図である。
【図１４】図１３に示した薬剤供給具の望ましい形態に関する説明図である。
【図１５】旋回流型水洗便器の一例を示す斜視図である。
【図１６】従来の薬剤供給具の一例を示す斜視図である。
【図１７】図１６に示した薬剤供給具の種々の取付け状態を示す側面図である。
【符号の説明】
【００４２】
１  薬剤供給具
２０、２０’、２０”  容器部
２２、２２ａ  正面部
２１  背面部
２４  延長部
３０  保持部
３３  縦部材
３４  係止部材
１０１  ボウル部（水洗便器）
１０２  リム部（水洗便器）
１０３  凹路（水洗便器）
１０４  吐水口（水洗便器）
Ｐ  平面
Ｃ  間隙
【図１】
0005247092.tif 000002
【図２】
0005247092.tif 000003
【図３】
0005247092.tif 000004
【図４】
0005247092.tif 000005
【図５】
0005247092.tif 000006
【図６】
0005247092.tif 000007
【図７】
0005247092.tif 000008
【図８】
0005247092.tif 000009
【図９】
0005247092.tif 000010
【図１０】
0005247092.tif 000011
【図１１】
0005247092.tif 000012
【図１２】
0005247092.tif 000013
【図１３】
0005247092.tif 000014
【図１４】
0005247092.tif 000015
【図１５】
0005247092.tif 000016
【図１６】
0005247092.tif 000017
【図１７】
0005247092.tif 000018